(57)【特許請求の範囲】
【請求項１】
便鉢及びこの便鉢の下流側に連通した便器排水路を有した便器本体を洗浄する洗浄水を貯留するタンク本体と、
このタンク本体内へ洗浄水を供給する給水装置と、
前記便器排水路内の空気を吸引する吸気装置とを備えた洗浄タンク装置であって、
前記吸気装置は、
前記タンク本体内を区画して形成し、上下方向に延びて下端部が前記タンク本体内で開口しており、上端部に吸気口を設けた吸気室と、
この吸気室と前記便器排水路とを連通する連通路と、
前記吸気室内に配置し、設定した浮力を有するフロート部材と、
このフロート部材が設定した上昇位置まで上昇すると前記吸気口を閉鎖して前記連通路側から前記吸気室内への空気の流入を防止し、前記フロート部材が前記上昇位置より下降すると前記吸気口を開放して前記連通路側から前記吸気室内への空気の流入を可能にする開閉弁とを備えていることを特徴とする洗浄タンク装置。
【請求項２】
前記吸気口は鉛直方向に開口しており、
前記開閉弁は、前記吸気口を挿通した状態で鉛直方向に往復移動する軸部と、この軸部の下端に連結され、前記吸気口の周縁部に当接する第１弁体とを有し、
前記フロート部材は、前記開閉弁とは別体に形成されており、上昇すると上端部を前記開閉弁の下端部に当接して前記開閉弁を押し上げることを特徴とする請求項１記載の洗浄タンク装置。
【請求項３】
前記フロート部材は上端部の中央部を上方に凸設した凸部を有しており、
前記開閉弁は下端部の中央部を上方に凹設して前記凸部が当接する凹部を有していることを特徴とする請求項２記載の洗浄タンク装置。
【請求項４】
前記吸気口は鉛直上方に延びる案内路を有しており、
前記開閉弁は、前記軸部をこの案内路よりも長く形成し、この軸部がこの案内路に案内されて鉛直方向に往復移動し、前記軸部の上端に連結され、前記フロート部材が設定した下降位置より下降すると前記案内路の上端開口の周縁部に当接して前記連通路側から前記吸気室内への空気の流入を防止する第２弁体を有していることを特徴とする請求項２又は３記載の洗浄タンク装置。
【請求項５】
前記吸気室内に設けられ、前記フロート部材を鉛直方向に往復移動するように収納し、上端部に設けられた上部開口、及び下端部に設けられた下部開口を有するガイド部材と、
前記下部開口に設けられ、前記吸気室内の水位が前記ガイド部材の下端下方から上昇する際、浮上して前記下部開口を閉鎖するフロート弁体とを備えていることを特徴とする請求項１乃至４のいずれか１項記載の洗浄タンク装置。
【請求項６】
便鉢及び便鉢の下流側に連通する便器排水路を有した便器本体と、請求項１乃至５のいずれか１項記載の洗浄タンク装置とを備え、
前記便器排水路に前記連通路を介して前記吸気室を連通し、前記便鉢の上端開口の内周縁に設けられたリム通水路に前記排水口を連通していることを特徴とする水洗式便器。
【発明の詳細な説明】
【技術分野】
【０００１】
本発明は洗浄タンク装置及び水洗式便器に関する。
【背景技術】
【０００２】
特許文献１に従来の洗浄タンク装置が開示されている。この洗浄タンク装置は、洗浄タンク本体と、給水装置と、便器排水路内の空気を吸引する吸気装置とを備えている。洗浄タンク本体は、開閉弁により開閉可能な排水口を有し、便器本体の洗浄に利用される洗浄水を貯留可能である。洗浄タンク本体の排水口は、便鉢及び便鉢の下流側に連通する便器排水路を有する便器本体に連通している。給水装置は洗浄タンク本体内に洗浄水を供給する。吸気装置は、洗浄タンク本体内に配置され、上端が閉鎖され下端が開口したブースと、ブース内であって洗浄タンク本体内の最高水位より上方まで延びた吸気路とから構成されている。吸気路は便器排水路に連通している。
【０００３】
この洗浄タンク装置では、排水口の開閉弁を開弁し、便器洗浄を開始すると、洗浄タンク本体内に貯留された洗浄水が排水口から便器本体に流出する。これにより、洗浄タンク本体内の洗浄水の水位は低下する。この際、吸気装置のブース内では、吸気路を介して便器排水路内の空気を吸引して、洗浄水の水位が低下する。つまり、ブース内の洗浄水の水位の低下にしたがって吸気装置は便器排水路内の空気を吸引する。便器洗浄の際に吸気装置が便器排水路内の空気を吸引することによって、便器排水路内にサイホン作用を確実に発生させ、そのサイホン作用を促進することができる。
【先行技術文献】
【特許文献】
【０００４】
【特許文献１】特開平７−４２２１７号公報
【発明の概要】
【発明が解決しようとする課題】
【０００５】
しかし、上記従来の洗浄タンク装置では、便器洗浄を開始してから所定量の洗浄水が洗浄タンク本体の排水口から便器本体へ流出し、排水口の開閉弁が閉弁するまでの間、ブース内の洗浄水の水位は略一定の速度で低下する。つまり、吸気装置は便器洗浄の開始と同時に便器排水路内の空気の吸引を開始する。このため、洗浄タンク本体内から流出した洗浄水が便器排水路内へ流入する前から吸気装置は便器排水路内の空気を吸引することになる。便器排水路内にサイホン作用を発生させるためには、便器排水路内に所定量の洗浄水が流入しており、かつ所定流量の洗浄水が流入する状態でなければならず、それ以前に便器排水路内の空気を吸引してもサイホン作用の発生に寄与するものではない。
【０００６】
また、便器排水路内にサイホン作用を確実に発生させるためには、サイホン作用の発生時に吸気装置によって便器排水路内の空気を勢い良く吸引することが望ましい。この吸気装置において空気を勢い良く吸引するためにはブースの容量を大きくしなければならない。このため、便器排水路内の空気を勢い良く吸引しようとすれば洗浄タンク本体が大型化してしまうおそれがある。
【０００７】
本発明は、上記従来の実情に鑑みてなされたものであって、大型化せず、便器洗浄を良好に行なうことができる洗浄タンク装置及び水洗式便器を提供することを解決すべき課題としている。
【課題を解決するための手段】
【０００８】
本発明の洗浄タンク装置は、便鉢及びこの便鉢の下流側に連通した便器排水路を有した便器本体を洗浄する洗浄水を貯留するタンク本体と、
このタンク本体内へ洗浄水を供給する給水装置と、
前記便器排水路内の空気を吸引する吸気装置とを備えた洗浄タンク装置であって、
前記吸気装置は、
前記タンク本体内を区画して形成し、上下方向に延びて下端部が前記タンク本体内で開口しており、上端部に吸気口を設けた吸気室と、
この吸気室と前記便器排水路とを連通する連通路と、
前記吸気室内に配置し、設定した浮力を有するフロート部材と、
このフロート部材が設定した上昇位置まで上昇すると前記吸気口を閉鎖して前記連通路側から前記吸気室内への空気の流入を防止し、前記フロート部材が前記上昇位置より下降すると前記吸気口を開放して前記連通路側から前記吸気室内への空気の流入を可能にする開閉弁とを備えていることを特徴とする。
【０００９】
この洗浄タンク装置では、便器洗浄の開始時、吸気口が開閉弁により閉鎖されている。タンク本体に貯留された洗浄水が排水されて便器洗浄が開始されると、吸気室より外側のタンク本体内の水位が低下し始める。吸気室より外側のタンク本体内の水位が所定の高さに低下するまでは、吸気室内の洗浄水の水位は、吸気口が開閉弁によって閉鎖されているため、外気が吸気室内に流入せず、変化しない。吸気室より外側のタンク本体内の水位が所定の高さ以下に低下すると、吸気室内に発生する負圧がフロート部材の浮力よりも大きくなり、フロート部材が上昇位置より下降する。このフロート部材の下降に伴って開閉弁が下降するため、吸気口が開放する。吸気口が開放した時点では吸気室内の水位と吸気室より外側のタンク本体内の水位とは大きな高低差が生じている。この水位の高低差によって吸気室内の洗浄水の水位が急激に低下する。これにより、この吸気装置は便器排水路内の空気を勢いよく吸引する。このように、この洗浄タンク装置では、吸気装置を大型化しなくても、便器排水路内の空気を勢いよく吸引することができる。
【００１０】
また、便器洗浄が開始されてから吸気口が開放されるまでにタイムラグを設けることができるため、吸気口が開放された時点において、タンク本体内から便器本体へ流出した洗浄水によって便器排水路内は所定量の洗浄水が流入しており、かつ所定流量の洗浄水が流入する状態となっている。このため、吸気装置が便器排水路内の空気を勢いよく吸引すると、便器排水路内にサイホン作用を確実に発生させることができる。
【００１１】
したがって、本発明の洗浄タンク装置は、大型化せず、便器洗浄を良好に行うことができる。
【００１２】
前記吸気口は鉛直方向に開口しており、
前記開閉弁は、前記吸気口を挿通した状態で鉛直方向に往復移動する軸部と、この軸部の下端に連結され、前記吸気口の周縁部に当接する第１弁体とを有し、
前記フロート部材は、前記開閉弁とは別体に形成されており、上昇すると上端部を前記開閉弁の下端部に当接して前記開閉弁を押し上げ得る。
【００１３】
この場合、フロート部材を開閉弁と別体に形成しているため、フロート部材の上昇姿勢にかかわらず開閉弁は鉛直方向に上昇することができ、開閉弁の第１弁体が吸気口を確実に閉鎖することができる。
【００１４】
前記フロート部材は上端部の中央部を上方に凸設した凸部を有しており、
前記開閉弁は下端部の中央部を上方に凹設して前記凸部が当接する凹部を有し得る。
【００１５】
この場合、フロート部材の上端部の中央部を上方に凸設して凸部を設け、開閉弁の下端部の中央部を上方に凹設して凹部を設けているため、開閉弁の中央部にフロート部材の浮力を伝達することができる。また、フロート部材の浮力が凸部の先端に集中するため、強い力で開閉弁を上昇させることができる。このため、第１弁体が吸気口を確実に閉鎖することができる。
【００１６】
前記吸気口は鉛直上方に延びる案内路を有しており、
前記開閉弁は、前記軸部をこの案内路よりも長く形成し、この軸部がこの案内路に案内されて鉛直方向に往復移動し、前記軸部の上端に連結され、前記フロート部材が設定した下降位置より下降すると前記案内路の上端開口の周縁部に当接して前記連通路側から前記吸気室内への空気の流入を防止する第２弁体を有し得る。
【００１７】
この場合、便器洗浄の後半であって、タンク本体内の洗浄水が便器本体へ流出している最中に、フロート部材を設定した下降位置より下降させることによって、第２弁体が案内路の上端開口の周縁部に当接して連通路側から吸気室内への空気の流入を防止することができる。つまり、便器洗浄の後半に吸気装置による便器排水路内の空気の吸引を終了させることができる。このようにすると、タンク本体内から便器本体へ流出する洗浄水の流量が減少していく際に吸気装置が便器排水路内の空気を吸引することによって、便鉢及び便器排水路内の洗浄水が不足し、サイホン作用が早期に終了してしまうことを防止することができる。このため、サイホン作用を継続させることができ、浮遊汚物等を便器排水路の下流へ確実に排出することができる。
【００１８】
また、寒冷地等において、タンク本体の水抜きを行った場合、フロート部材が設定した下降位置より下降しているため、開閉弁が下降し、第２弁体が案内路の上端開口の周縁部に当接して連通路側から吸気室内への空気の流入を防止する。つまり、便器排水路側からの臭気の逆流等を防止することができる。
【００１９】
前記吸気室内に設けられ、前記フロート部材を鉛直方向に往復移動するように収納し、上端部に設けられた上部開口、及び下端部に設けられた下部開口を有するガイド部材と、
前記下部開口に設けられ、前記吸気室内の水位が前記ガイド部材の下端下方から上昇する際、浮上して前記下部開口を閉鎖するフロート弁体とを備え得る。
【００２０】
この場合、タンク本体内に給水装置から洗浄水が供給されて吸気室内の水位が上昇する際、フロート弁体がガイド部材の下部開口を閉鎖するため、下部開口からガイド部材内に洗浄水が流入せず、フロート部材が上昇しない。このため、吸気口が開閉弁によって閉鎖されないため、ガイド部材より外側の吸気室内に洗浄水を流入させることができる。そして、ガイド部材より外側の吸気室内の洗浄水の水位が上昇し、ガイド部材の上部開口からガイド部材内に洗浄水が流入すると、フロート部材が上昇し、吸気口が開閉弁によって閉鎖される。このように、フロート部材の上昇を遅らせることにより、吸気口が開閉弁によって閉鎖されるまでに、吸気室内を略満水状態にすることができる。これによって、次の便器洗浄の際に、吸気装置が便器排水路内の空気を良好に吸引することができる。
【００２１】
本発明の水洗式便器は、便鉢及び便鉢の下流側に連通する便器排水路を有した便器本体と、請求項１乃至５のいずれか１項記載の洗浄タンク装置とを備え、
前記便器排水路に前記連通路を介して前記吸気室を連通し、前記便鉢の上端開口の内周縁に設けられたリム通水路に前記排水口を連通していることを特徴とする。
【００２２】
この水洗式便器では、上述したように、洗浄タンク装置が大型化せず、便器洗浄を良好に行うことができる。
【図面の簡単な説明】
【００２３】
【図１】実施例の水洗式便器を示す概略図である。
【図２】実施例の吸気装置を示す断面図である。
【図３】実施例の吸気装置を示す分解斜視図である。
【図４】実施例の吸気装置において便器洗浄の待機状態を示す断面図である。
【図５】実施例の吸気装置において便器洗浄の開始状態を示す断面図である。
【図６】実施例の吸気装置において吸引状態を示す断面図である。
【図７】実施例の吸気装置において吸引終了状態を示す断面図である。
【図８】実施例の吸気装置においてタンク本体内への洗浄水貯留の初期状態を示す断面図である。
【図９】実施例の吸気装置においてタンク本体内への洗浄水貯留状態を示す断面図である。
【図１０】実施例の吸気装置においてタンク本体の水抜きを行った状態を示す断面図である。
【発明を実施するための形態】
【００２４】
本発明の洗浄タンク装置及び水洗式便器を具体化した実施例を図面を参照しつつ説明する。
【００２５】
＜実施例＞
実施例の水洗式便器は、図１に示すように、便器本体１と便器本体１の後部上面に載置された洗浄タンク装置１０とを具備している。便器本体１は便鉢２及び便鉢２の下流側に連通する便器排水路３を備えている。また、便鉢２の上部開口の内周縁にはリム通水路４が設けられている。
【００２６】
洗浄タンク装置１０は、タンク本体２０、給水装置であるボールタップ３０及び吸気装置４０を備えている。タンク本体２０は開閉弁であるフロート弁２１によって開閉する排水口２２を有している。タンク本体２０は便器本体１を洗浄する洗浄水を貯留することができる。フロート弁２１は玉鎖２３を介して図示しない洗浄ハンドルに連結している。排水口２２は洗浄水路５を介してリム通水路４に連通している。便器洗浄の際、用便者等が洗浄ハンドルを操作することによって、フロート弁２１が玉鎖２３を介して引き上げられ、タンク本体２０内に貯留した洗浄水が排水口２２からリム通水路４に流出する。タンク本体２０はオーバーフロー管２４を有している。オーバーフロー管２４は、下端が排水口２２より下方で洗浄水路５に連通しており、上端がタンク本体２０内の最高水位ＬＡ１よりも上方に立ち上げられている。
【００２７】
ボールタップ３０は、吐水管３１と、吐水管３１に設けた開閉弁３２とを有している。吐水管３１は、水洗式便器を設置したトイレルームに引き出された給水管に接続され、タンク本体２０内に直接的に洗浄水を吐水することができる。開閉弁３２は浮玉３３の昇降によって開閉する。浮玉３３はタンク本体２０内の洗浄水の水位の変化にしたがって昇降する。つまり、浮玉３３が下降すると開閉弁３２が開弁し、吐水管３１からタンク本体２０内に洗浄水が直接的に吐水される。また、開閉弁３２は、タンク本体２０内の洗浄水の水位が最高水位ＬＡ１まで上昇すると、浮玉３３の上昇によって閉弁する。
【００２８】
吸気装置４０は、図１〜図３に示すように、吸気室４１、連通路４２、フロート部材４３、開閉弁４４、ガイド部材４５、及びフロート弁体４６を備えている。
【００２９】
吸気室４１は、タンク本体２０内に収納され、タンク本体２０内を区画するケース４１Ａ内に形成されている。ケース４１Ａは下端がタンク本体２０内に開口した下端開口４１Ｂを有している。ケース４１Ａは、下端開口４１Ｂがタンク本体２０の底面との間に隙間を設けて配置されている。このため、下端開口４１Ｂから吸気室４１内に洗浄水が流入出することができる。ケース４１Ａは、上面にタンク本体２０内の最高水位ＬＡ１よりも上方に立ち上がった円筒部４１Ｃを有しており円筒部４１Ｃは上下方向に開口している。
【００３０】
円筒部４１Ｃには嵌合部材４７の下部が上方から挿入されている。嵌合部材４７は下部の外周面に形成された溝部にパッキンＰ１が嵌め込まれている。このため、嵌合部材４７の下部を円筒部４１Ｃに挿入すると、パッキンＰ１が円筒部４１Ｃの内周面に当接するため、嵌合部材４７の下部の外周面と、円筒部４１Ｃの内周面とは気密状態に連結している。
【００３１】
嵌合部材４７は中心部を鉛直方向に貫設し、後述する開閉弁４４の軸部４４Ａを案内する案内路４７Ｂを形成している。案内路４７Ｂの下端開口は、鉛直方向に開口する吸気口４７Ａを形成している。このようにして、吸気室４１は上端部に鉛直上方に延びる案内路４７Ｂを有した吸気口４７Ａを設けている。嵌合部材４７は吸気口４７Ａの周縁に沿って下方にリング状に突出した凸部４７Ｄを有している。この凸部４７Ｄに後述する開閉弁４４の第１弁体４４Ｂの上面が当接するため、吸気口４７Ａは第１弁体４４Ｂによって確実に閉鎖することができる。
【００３２】
また、案内路４７Ｂは周縁部が上方に突出した上端開口４７Ｃを有している。この上方に突出した周縁部に後述する開閉弁４４の第２弁体４４Ｃの下面が当接するため、上端開口４７Ｃは第２弁体４４Ｃによって確実に閉鎖することができる。
【００３３】
円筒部４１Ｃに嵌合部材４７を挿入した状態で、円筒部４１Ｃ及び嵌合部材４７を覆って上方に延びる連結部材４８がケース４１Ａに取り付けられている。嵌合部材４７は、上部の外周面に形成された溝部にパッキンＰ２が嵌め込まれている。このため、連結部材４８をケース４１Ａに取り付けると、パッキンＰ２が連結部材４８の内周面に当接するため、嵌合部材４７の上部の外周面と、連結部材４８の内周面とは気密状態に連結している。
【００３４】
連結部材４８は、嵌合部材４７の上方であって、その内部に後述する開閉弁４４の第２弁体４４Ｃが上下動する内部空間４８Ａを形成している。また、連結部材４８は、内部空間４８Ａの上部から上方に延びて水平方向に曲がった連通路４２を形成している。連通路４２は水平方向に開口した連通口４２Ａを有している。連通口４２Ａは便器排水路３に連通する吸気路６が接続されている。連結部材４８は、水平方向に延びた連通路４２の連通口４２Ａに対向する側面にストレーナー部材４９を挿入する挿入口４８Ｂを貫設している。
【００３５】
ストレーナー部材４９は円筒状であり、連通路４２内に挿入された状態で挿入口４８Ｂ側の端面を閉鎖している。また、ストレーナー部材４９は、連通路４２内に挿入した状態で横方向から上方向を向く側面に複数個のスリット４９Ａが形成され、下方を向く側面は閉鎖されている。このため、便器排水路３に連通する吸気路６側から連通路４２内に侵入したハエ等の虫をストレーナー部材４９によって捕捉し、開閉弁４４が組み込まれている下方に落下することを防止することができる。ストレーナー部材４９は、下方を向く側面が閉鎖されているため、スリット４９Ａの幅以下の虫であっても、開閉弁４４が組み込まれている下方に落下することを防止することができる。また、ストレーナー部材４９は挿入口４８Ｂ側の外周面に形成された溝部にパッキンＰ３が嵌め込まれている。このため、ストレーナー部材４９を連通路４２内に挿入すると、パッキンＰ３が挿入口４８Ｂより内側の連結部材４８の内周面に当接し、ストレーナー部材４９の外周面と、連結部材４８の内周面とは気密状態に連結している。
【００３６】
開閉弁４４は、軸部４４Ａと、軸部４４Ａの下端に一体に設けられた第１弁体４４Ｂと、案内路４７Ｂを下方から挿通した軸部４４Ａの上端に取り付けられた第２弁体４４Ｃとから構成されている。軸部４４Ａは水平断面が十字状に形成されている。第１弁体４４Ｂは円盤状であり、上面にシール材が取り付けられている。また、第１弁体４４Ｂは、下面の中央部に上方に凹設した凹部４４Ｄを有している。凹部４４Ｄは山型に形成されている。第２弁体４４Ｃは円盤状であり、下面にシール材が取り付けられている。
【００３７】
ガイド部材４５は、円筒状に形成され、上方が開口し、下端面に円形状の下部開口４５Ｂを貫設している。ガイド部材４５の内径は、上部が下部よりも大きい２段階に形成されている。ガイド部材４５の下部の内径は後述するフロート部材４３の胴部４３Ａを挿入することができるが、張出し部４３Ｄが形成された胴部４３Ａの上端周縁部を挿入することができない大きさに形成されている。ガイド部材４５は上端が嵌合部材４７の下端に連結され、ケース４１Ａ内に形成された吸気室４１に吊下げられている。ガイド部材４５は上部の周面に複数の上部開口４５Ａを貫設している。
【００３８】
フロート弁体４６は円盤状に形成され、浮力を有している。フロート弁体４６は、上面に上方向に延びて形成された４つの係止片４６Ａを有している。係止片４６Ａは上端部に外側に向けて突出した爪部４６Ｂを有している。係止片４６Ａは、ガイド部材４５の下部開口４５Ｂに下方から挿入し、爪部４６Ｂがガイド部材４５の下部開口４５Ｂの周縁に係止することができる。フロート弁体４６は、外径がガイド部材４５の下部開口４５Ｂの内径よりも大きく形成されている。フロート弁体４６は、上下方向に往復移動し、浮力により上昇するとガイド部材４５の下部開口４５Ｂを閉鎖する。
【００３９】
フロート部材４３は、下端面に開口を有した円筒形状の胴部４３Ａと、胴部４３Ａの上方に連続して形成され、胴部４３Ａの径よりも小さい径の円筒形状の中間部４３Ｂと、中間部４３Ｂの上面の中央部を上方に凸設した円錐形状の凸部４３Ｃとから形成されている。胴部４３Ａは上端周縁部の複数個所に横方向に張り出した張出し部４３Ｄを有している。フロート部材４３は、内部に空気が充満し、設定した浮力を有している。フロート部材４３は、ガイド部材４５の上方開口から挿入され、配置されている。フロート部材４３は、円錐形状の凸部４３Ｃ側からガイド部材４５内に挿入しようとすると、胴部４３Ａの上端周縁部に設けられた張出し部４３Ｄがガイド部材４５の下部の内周面の内径よりも大きく張り出しているため挿入することができない。このように、フロート部材４３の上下方向を間違ってガイド部材４５内に挿入しないように張出し部４３Ｄが形成されている。
【００４０】
フロート部材４３は、上昇すると円錐形状の凸部４３Ｃの先端が開閉弁４４の第１弁体４４Ｂの下面の中央部に凹設された凹部４４Ｄの中央に当接するように配置されている。
【００４１】
次に、このように構成された水洗式便器の便器洗浄工程を説明する。
【００４２】
［待機状態］
便器洗浄の待機状態では、図４に示すように、タンク本体２０内は最高水位ＬＡ１まで洗浄水が貯留されている。また、吸気室４１内の水位も洗浄タンク本体２０内の最高水位ＬＡ１と同じ高さの最高水位ＬＢ１まで上昇している。フロート部材４３は上昇位置に上昇している。このため、フロート部材４３の凸部４３Ｃが開閉弁４４の凹部４４Ｄに当接して、開閉弁４４を押し上げている。よって、第１弁体４４Ｂの上面が吸気口４７Ａの周縁に設けられた凸部４７Ｄに当接し、第１弁体４４Ｂが吸気口４７Ａを閉鎖している。
【００４３】
この際、フロート部材４３を開閉弁４４と別体に形成しているため、フロート部材４３の上昇姿勢にかかわらず開閉弁４４は鉛直方向に上昇することができ、開閉弁４４の第１弁体４４Ｂが吸気口４７Ａを確実に閉鎖することができる。また、フロート部材４３の中央部に凸部４３Ｃを設け、開閉弁４４の下端部の中央部に凹部４４Ｄを設けているため、開閉弁４４の中央部にフロート部材４３の浮力を伝達することができる。また、フロート部材４３の浮力が凸部４３Ｃの先端に集中するため、強い力で開閉弁４４を上昇させることができる。このため、第１弁体４４Ｂが吸気口４７Ａを確実に閉鎖することができる。
【００４４】
［便器洗浄開始］
用便者等により洗浄ハンドルが操作され、フロート弁２１が球鎖２３を介して引き上げられと、排水口２２が開放し、タンク本体２０内に貯留した洗浄水が排水口２２からリム通水路４に流出して、便器洗浄が開始される。この際、図５に示すように、吸気室４１より外側のタンク本体２０内の水位が低下し始める。一方、吸気室４１は吸気口４７Ａが第１弁体４４Ｂによって閉鎖されているため、外気が吸気室４１内に流入せず、吸気室４１内の水位は変化しない。つまり、この時点では、吸気装置４０は便器排水路３内の空気を吸引しない。
【００４５】
［吸引開始］
タンク本体２０内に貯留した洗浄水が流出し、図６に示すように、タンク本体２０内の水位が所定の高さＬＡ２以下に低下すると、吸気室４１内に発生する負圧がフロート部材４３の浮力、及びフロート弁体４６の浮力よりも大きくなる。このため、フロート部材４３は上昇位置より下降し、フロート弁体４６も下降する。フロート部材４３の下降に伴って開閉弁４４が下降するため、吸気口４７Ａが開放する。
【００４６】
吸気口４７Ａが開放した時点では吸気室４１内の水位と吸気室４１より外側のタンク本体２０内の水位とは大きな高低差が生じている。この水位の高低差によって吸気室４１内の洗浄水の水位が急激に低下する。これにより、吸気室内４１内に案内路４７Ｂから空気が流入する。つまり、吸気室４１が案内路４７Ｂの上流側に連通する内部空間４８Ａ、連通路４２及び吸気路６を介して便器排水路３内の空気を勢いよく吸引する。このように、この洗浄タンク装置１０では、吸気装置４０を大型化しなくても、便器排水路３内の空気を勢いよく吸引することができる。
【００４７】
また、便器洗浄が開始されてから吸気口４７Ａが開放されるまでにタイムラグを設けることができるため、吸気口４７Ａが解放された時点において、タンク本体２０内から便器本体１へ流出した洗浄水によって便器排水路３内は所定量の洗浄水が流入しており、かつ所定流量の洗浄水が流入する状態となっている。このため、吸気装置４０が便器排水路３内の空気を勢いよく吸引すると、便器排水路３内にサイホン作用を確実に発生させることができる。
【００４８】
したがって、実施例の洗浄タンク装置は、大型化せず、便器洗浄を良好に行うことができる。
【００４９】
［吸引終了］
さらに、タンク本体２０内に貯留した洗浄水が排水口２２からリム通水路４に流出し、図７に示すように、吸気室４１内（ガイド部材４５内も含む）の水位が設定水位ＬＢ２に低下すると、フロート部材４３は下降位置に下降する。すると、開閉弁４４が下降し、案内路４７Ｂの上端開口４７Ｃの周縁部に第２弁体４４Ｃの下面が当接し、上端開口４７Ｃは第２弁体４４Ｃによって閉鎖する。これによって、連通路４２側から吸気室４１内への空気の流入が防止される。つまり、吸気装置４０による便器排水路３内の空気の吸引が終了する。
【００５０】
このように、便器洗浄の後半であって、タンク本体２０内の洗浄水が便器本体１へ流出している最中に、吸気装置４０が便器排水路３内の空気の吸引を終了する。このため、この後にタンク本体２０内から便器本体１へ流出する洗浄水の流量が減少していく際に吸気装置４０が便器排水路３内の空気を吸引することによって、便鉢２及び便器排水路３内の洗浄水が不足し、サイホン作用が早期に終了してしまうことを防止することができる。よって、この水洗式便器は、サイホン作用が便器洗浄の終了間際まで継続し、浮遊汚物等を便器排水路３の下流へ確実に排出することができる。
【００５１】
［便器洗浄終了］
さらに、タンク本体２０内に貯留した洗浄水が排水口２２からリム通水路４に流出すると、徐々にその流量は減少し、サイホン作用が終了する。また、タンク本体２０内の水位がケース４１Ａの下端開口４１Ｂより低下すると、吸気室４１内の洗浄水も下端開口４１Ｂから流出し、タンク本体２０の排水口２２からリム通水路４に流出する。タンク本体２０内の水位が設定水位以下になるとフロート弁２１が排水口２２を閉鎖し、便器洗浄が終了する。
【００５２】
［タンク本体内への洗浄水貯留］
フロート弁２１が排水口２２を閉鎖すると、タンク本体２０内に洗浄水が貯留し始める。すると、吸気室４１内は空気を圧縮しながら洗浄水がケース４１Ａの下端開口４１Ｂから流入し、ガイド部材４５内にも下部開口４５Ｂから洗浄水が流入する。このため、図８に示すように、吸気室４１内（ガイド部材４５内も含む）の水位は、ケース４１Ａより外側のタンク本体２０内の水位の上昇よりも遅れて上昇し始める。
【００５３】
さらに、ガイド部材４５内に洗浄水が流入し、フロート部材４３が上昇すると、フロート部材４３が開閉弁４４を押し上げる。これにより、開閉弁４４の第２弁体４４Ｃも上昇するため、案内路４７Ｂの上端開口４７Ｃが開放される。すると、吸気室４１内の圧縮された空気は連通路４２側に流出し、ガイド部材４５より外側の吸気室４１内の洗浄水の水位は、ケース４１Ａより外側のタンク本体２０内の水位と同じ高さで上昇し続ける。
【００５４】
フロート弁体４６は、図９に示すように、吸気室４１内の水位が上昇する際、浮上して下部開口４５Ｂを閉鎖する。このため、下部開口４５からガイド部材４５内に洗浄水が流入せず、ガイド部材４５内の水位の上昇は設定水位ＬＢ３で停止する。よって、フロート部材４３の上昇も停止する。この状態では、開閉弁４４の第１弁体４４Ｂが吸気口４７Ａを閉鎖せず、かつ案内路４７Ｂの上端開口４７Ｃも第２弁体４４Ｃによって閉鎖されていない。このため、案内路４７Ｂから連通路４２側に空気が流出することができ、ガイド部材４５より外側の吸気室４１内の洗浄水の水位は上昇し続ける。
【００５５】
そして、ガイド部材４５より外側の吸気室４１内の洗浄水の水位が上昇し、ガイド部材４５の上部開口４５Ａからガイド部材４５内に洗浄水が流入する。すると、フロート部材４３が上昇し、開閉弁４４を押し上げて、吸気口４７Ａが開閉弁４４の第１弁体４４Ｂによって閉鎖される。
【００５６】
この状態で、図４に示すように、タンク本体２０内の洗浄水の水位が最高水位ＬＡ１まで上昇しているため、ボールタップ３０の開閉弁３２が閉弁し、吐水管３１からタンク本体２０内への洗浄水の吐水が停止する。また、吸気室４１内の水位は洗浄タンク本体２０内の最高水位ＬＡ１と同じ高さの最高水位ＬＢ１まで上昇している。このようにして、水洗式便器は便器洗浄の待機状態に復帰する。
【００５７】
この洗浄タンク装置１０では、フロート部材４３の上昇を遅らせることにより、吸気口４７Ａが開閉弁４４によって閉鎖されるまでに、吸気室４１内を略満水状態にすることができる。このため、次の便器洗浄の際に、吸気装置４０が便器排水路３内の空気を良好に吸引することができる。
【００５８】
この洗浄タンク装置１０は、寒冷地等において、タンク本体２０の水抜きを行った場合、図１０に示すように、フロート部材４３が設定した下降位置より下降するため、開閉弁４４が下降して案内路４７Ｂの上端開口４７Ｃの周縁部に第２弁体４４Ｃの下面が当接し、上端開口４７Ｃは第２弁体４４Ｃによって閉鎖される。これによって、連通路４２側から吸気室４１内への空気の流入を防止することができる。つまり、便器排水路３側からの臭気の逆流等を防止することができる。
【００５９】
本発明は上記記述及び図面によって説明した実施例に限定されるものではなく、例えば次のような実施例も本発明の技術的範囲に含まれる。
（１）実施例では、開閉弁に第２弁体を有していたが、開閉弁は第２弁体を有していなくてもよい。
（２）実施例では、フロート部材と開閉弁とを別体に形成しているが、フロート部材と開閉弁とを一体に形成してもよい。
（３）実施例では、フロート部材の上端部に凸部を設け、開閉弁の下端部に凹部を設けているが、これら凸部及び凹部を設けなくてもよい。
（４）実施例では、ガイド部材の下部開口を閉鎖するフロート弁体を備えていたが、フロート弁体の代わりに、下部開口をガイド部材内からガイド部材の外側の吸気室内へ洗浄水が流出し易く、逆にガイド部材の外側の吸気室からガイド部材内に洗浄水が流入し難くするように構成するとよい。
【産業上の利用可能性】
【００６０】
本発明は洗浄タンク装置を有する水洗式便器に利用可能である。
【符号の説明】
【００６１】
１…便器本体
２…便鉢
３…便器排水路
１０…洗浄タンク装置
２０…タンク本体
３０…給水装置
４０…吸気装置
４１…吸気室
４２…連通路
４３…フロート部材
４３Ｃ…凸部
４４…開閉弁
４４Ａ…軸部
４４Ｂ…第１弁体
４４Ｃ…第２弁体
４４Ｄ…凹部
４５…ガイド部材
４５Ａ…上部開口
４５Ｂ…下部開口
４６…フロート弁体
４７Ａ…吸気口
４７Ｂ…案内路
４７Ｃ…上端開口
【図１】
0005595851.tif 000002
【図２】
0005595851.tif 000003
【図３】
0005595851.tif 000004
【図４】
0005595851.tif 000005
【図５】
0005595851.tif 000006
【図６】
0005595851.tif 000007
【図７】
0005595851.tif 000008
【図８】
0005595851.tif 000009
【図９】
0005595851.tif 000010
【図１０】
0005595851.tif 000011